(57)【要約】【課題】ソフトウェアキーボードによる文字入力を行う際のリモコンの操作回数を減らしながら、操作性を向上させることが可能な映像装置を提供する。【解決手段】このテレビジョン装置１００（映像装置）は、複数の入力キー４１ａと、複数の入力キー４１ａ上を移動可能なカーソル４１ｄとを含むソフトウェアキーボード４１およびテレビジョン放送を表示可能なディスプレイ４０の表示内容を制御する制御部３０と、複数の入力キー４１ａ上のカーソル４１ｄの位置を１つずつ順次移動させるための十字ボタン７４ａ〜７４ｄと、複数の入力キー４１ａ上のカーソル４１ｄの位置を予め設定された位置にジャンプ移動させるための選局兼用ジャンプボタン７５ａ〜７５ｉとを含むリモコン７０とを備える。【選択図】図１
2012182606.tif 000002
【特許請求の範囲】
【請求項１】
複数の第１の個数の入力キー画像と、前記第１の個数の入力キー画像上を移動可能なカーソルとを含むソフトウェアキーボードおよび映像を表示可能な表示部の表示内容を制御する制御部と、
前記第１の個数の入力キー画像上の前記カーソルの位置を１つずつ順次移動させるための移動ボタンと、前記第１の個数の入力キー画像上の前記カーソルの位置を予め設定された位置にジャンプ移動させるためのジャンプボタンとを含むリモコンとを備える、映像装置。
【請求項２】
前記ジャンプボタンは、前記第１の個数よりも少ない複数の第２の個数設けられており、
ユーザにより前記第２の個数のジャンプボタンが押下された際の前記カーソルの移動先として予め設定された前記第２の個数の入力キー画像は、前記表示部に表示された前記第１の個数の入力キー画像上で偏らずに分散するように配置されている、請求項１に記載の映像装置。
【請求項３】
前記ジャンプボタンは、前記第１の個数よりも少ない複数の第２の個数設けられており、
ユーザにより前記第２の個数のジャンプボタンが押下された際の前記カーソルの移動先として予め設定された前記第２の個数の入力キー画像の前記表示部上における配置位置は、前記第２の個数のジャンプボタンの前記リモコン上における配置位置と対応している、請求項１または２に記載の映像装置。
【請求項４】
前記リモコンは、前記映像装置に対して所定の操作を行うための操作ボタンをさらに含み、
前記操作ボタンは、前記ジャンプボタンとして兼用可能なように構成されている、請求項１〜３のいずれか１項に記載の映像装置。
【請求項５】
前記ジャンプボタンとして兼用可能な前記操作ボタンは、前記表示部に表示される前記映像のチャンネルを選局するための選局ボタンである、請求項４に記載の映像装置。
【請求項６】
前記ジャンプボタンは、前記カーソルを前記表示部の端部に位置する前記入力キー画像にジャンプ移動させるための第１ジャンプボタンと、前記カーソルを前記表示部の両端部間の中間部分に位置する前記入力キー画像にジャンプ移動させるための第２ジャンプボタンとを含む、請求項１〜５のいずれか１項に記載の映像装置。
【請求項７】
テレビジョン放送を受信する放送受信部と、
複数の入力キー画像と、前記複数の入力キー画像上を移動可能なカーソルとを含むソフトウェアキーボードおよび前記テレビジョン放送を表示可能な表示部の表示内容を制御する制御部と、
前記複数の入力キー画像上の前記カーソルの位置を１つずつ順次移動させるための移動ボタンと、前記複数の入力キー画像上の前記カーソルの位置を予め設定された位置にジャンプ移動させるためのジャンプボタンとを含むリモコンとを備え、
前記ジャンプボタンは、前記表示部に表示される前記テレビジョン放送のチャンネルを選局するための選局ボタンである、テレビジョン装置。
【発明の詳細な説明】
【技術分野】
【０００１】
この発明は、映像装置およびテレビジョン装置に関し、特に、ソフトウェアキーボードを表示可能な映像装置およびテレビジョン装置に関する。
【背景技術】
【０００２】
従来、ソフトウェアキーボードを表示可能な映像装置が知られている。このような従来の映像装置では、一般に、ソフトウェアキーボードによる文字入力がリモコンによって行われる。このため、ソフトウェアキーボードによる文字入力を行う際のリモコンの操作回数を減らすことが望まれている。
【０００３】
そこで、従来、リモコンの操作回数を減らすために、ソフトウェアキーボードを表示可能なＴＶ画面（表示部）と、ソフトウェアキーボードによる文字入力操作に用いるリモコンとを備えるＴＶ受信機（映像装置）が提案されている（たとえば、特許文献１参照）。
【０００４】
上記特許文献１において提案されたＴＶ受信機のＴＶ画面に表示されるソフトウェアキーボードには、文字入力を行うための複数のキー（入力キー画像）と、それら複数のキーのうちの２つ以上のキーを取り囲むように構成されたカーソル状のリモコンテンプレートとが表示されている。このソフトウェアキーボードにより文字入力を行う場合、ユーザは、リモコンのシフトキー（移動ボタン）を操作することによって、リモコンテンプレートを所望のキーを含む２つ以上のキーを取り囲む位置まで１つずつ順次移動させ、その後、リモコンテンプレートに取り囲まれた２つ以上のキーの中から所望のキーを選択する。これにより、カーソル状のリモコンテンプレートがソフトウェアキーボード上の１つのキーだけを取り囲むように構成されている場合と異なり、リモコンテンプレートを所望のキーを取り囲む位置まで移動させる際の移動回数を減らすことができるので、リモコンの操作回数を減らすことが可能になる。
【先行技術文献】
【特許文献】
【０００５】
【特許文献１】特開２００５−２８６８３５号公報
【発明の概要】
【発明が解決しようとする課題】
【０００６】
しかしながら、上記特許文献１に記載のＴＶ受信機では、カーソル状のリモコンキーテンプレートを所望のキーを取り囲む位置まで移動させるために、リモコンキーテンプレートを１つずつ順次移動させる必要があるので、ソフトウェアキーボード上における所望のキーの配置位置とリモコンキーテンプレートの初期の配置位置とが離れている場合に、リモコンの操作回数が増えるという問題点がある。また、上記特許文献１に記載のＴＶ受信機では、リモコンキーテンプレートの位置を１つずつ順次移動させることしかできないため、操作性が悪いという問題点もある。
【０００７】
この発明は、上記のような課題を解決するためになされたものであり、この発明の１つの目的は、ソフトウェアキーボードによる文字入力を行う際のリモコンの操作回数を減らしながら、操作性を向上させることが可能な映像装置を提供することである。
【課題を解決するための手段および発明の効果】
【０００８】
この発明の第１の局面による映像装置は、複数の第１の個数の入力キー画像と、第１の個数の入力キー画像上を移動可能なカーソルとを含むソフトウェアキーボードおよび映像を表示可能な表示部の表示内容を制御する制御部と、第１の個数の入力キー画像上のカーソルの位置を１つずつ順次移動させるための移動ボタンと、第１の個数の入力キー画像上のカーソルの位置を予め設定された位置にジャンプ移動させるためのジャンプボタンとを含むリモコンとを備える。
【０００９】
この発明の第１の局面による映像装置では、上記のように、リモコンを、第１の個数の入力キー画像上のカーソルの位置を１つずつ順次移動させるための移動ボタンと、第１の個数の入力キー画像上のカーソルの位置を予め設定された位置にジャンプ移動させるためのジャンプボタンとを含むように構成する。これにより、ソフトウェアキーボード上における所望の入力キー画像の配置位置とカーソルの初期の配置位置とが離れている場合でも、ジャンプボタンにより、カーソルを所望の入力キー画像に近い位置までジャンプ移動させる（入力キー画像を１つ以上飛ばして移動させる）ことができるので、カーソルを所望の位置まで移動させる際のリモコンの操作回数を減らすことができる。また、リモコンに移動ボタンしか設けられていない場合（カーソルの位置を１つずつ順次移動させることしかできない場合）と異なり、移動ボタンおよびジャンプボタンの２つのボタンにより、カーソルを所望の位置まで容易に移動させることができるので、操作性を向上させることができる。これらの結果、ソフトウェアキーボードによる文字入力を行う際のリモコンの操作回数を減らしながら、操作性を向上させることができる。
【００１０】
上記第１の局面による映像装置において、好ましくは、ジャンプボタンは、第１の個数よりも少ない複数の第２の個数設けられており、ユーザにより第２の個数のジャンプボタンが押下された際のカーソルの移動先として予め設定された第２の個数の入力キー画像は、表示部に表示された第１の個数の入力キー画像上で偏らずに分散するように配置されている。このように構成すれば、ユーザにより第２の個数のジャンプボタンが押下された際のカーソルの移動先として予め設定された第２の個数の入力キー画像が、表示部に表示された第１の個数の入力キー画像の一部に偏って配置されている場合と異なり、カーソルを広い範囲でジャンプ移動させることができるので、カーソルを所望の位置までより容易に移動させることができる。
【００１１】
上記第１の局面による映像装置において、好ましくは、ジャンプボタンは、第１の個数よりも少ない複数の第２の個数設けられており、ユーザにより第２の個数のジャンプボタンが押下された際のカーソルの移動先として予め設定された第２の個数の入力キー画像の表示部上における配置位置は、第２の個数のジャンプボタンのリモコン上における配置位置と対応している。このように構成すれば、第２の個数の入力キー画像の表示部上における配置位置と、第２の個数のジャンプボタンのリモコン上における配置位置との対応関係により、ユーザがジャンプボタンを押下した際のカーソルの移動先を容易に認識することができるので、操作性をより向上させることができる。
【００１２】
上記第１の局面による映像装置において、好ましくは、リモコンは、映像装置に対して所定の操作を行うための操作ボタンをさらに含み、操作ボタンは、ジャンプボタンとして兼用可能なように構成されている。このように構成すれば、ジャンプボタンを操作ボタンとは別個に設ける場合と異なり、リモコンの構成が複雑になるのを抑制することができる。
【００１３】
この場合、好ましくは、ジャンプボタンとして兼用可能な操作ボタンは、表示部に表示される映像のチャンネルを選局するための選局ボタンである。このように構成すれば、映像装置のリモコンに一般的に設けられている選局ボタンをジャンプボタンとして兼用することにより、容易にリモコンにジャンプボタンを設けることができる。
【００１４】
上記第１の局面による映像装置において、好ましくは、ジャンプボタンは、カーソルを表示部の端部に位置する入力キー画像にジャンプ移動させるための第１ジャンプボタンと、カーソルを表示部の両端部間の中間部分に位置する入力キー画像にジャンプ移動させるための第２ジャンプボタンとを含む。このように構成すれば、第１ジャンプボタンと第２ジャンプボタンとにより、カーソルを第１の個数の入力キー画像全体にわたってジャンプ移動させることができる。
【００１５】
この発明の第２の局面によるテレビジョン装置は、テレビジョン放送を受信する放送受信部と、複数の入力キー画像と、複数の入力キー画像上を移動可能なカーソルとを含むソフトウェアキーボードおよびテレビジョン放送を表示可能な表示部の表示内容を制御する制御部と、複数の入力キー画像上のカーソルの位置を１つずつ順次移動させるための移動ボタンと、複数の入力キー画像上のカーソルの位置を予め設定された位置にジャンプ移動させるためのジャンプボタンとを含むリモコンとを備え、ジャンプボタンは、表示部に表示されるテレビジョン放送のチャンネルを選局するための選局ボタンである。
【００１６】
この発明の第２の局面によるテレビジョン装置では、上記のように、リモコンを、第１の個数の入力キー画像上のカーソルの位置を１つずつ順次移動させるための移動ボタンと、第１の個数の入力キー画像上のカーソルの位置を予め設定された位置にジャンプ移動させるためのジャンプボタンとを含むように構成する。これにより、ソフトウェアキーボード上における所望の入力キー画像の配置位置とカーソルの初期の配置位置とが離れている場合でも、ジャンプボタンにより、カーソルを所望の入力キー画像に近い位置までジャンプ移動させることができるので、カーソルを所望の位置まで移動させる際のリモコンの操作回数を減らすことができる。また、リモコンに移動ボタンしか設けられていない場合（カーソルの位置を１つずつ順次移動させることしかできない場合）と異なり、移動ボタンおよびジャンプボタンの２つのボタンにより、カーソルを所望の位置まで容易に移動させることができるので、操作性を向上させることができる。また、テレビジョン装置のリモコンに一般的に設けられている選局ボタンをジャンプボタンとして兼用することにより、容易にリモコンにジャンプボタンを設けることができる。
【図面の簡単な説明】
【００１７】
【図１】本発明の一実施形態によるテレビジョン装置の構成を示したブロック図である。
【図２】本発明の一実施形態によるテレビジョン装置のリモコンの具体的な構成を示した図である。
【図３】本発明の一実施形態によるテレビジョン装置の表示部に表示されるソフトウェアキーボードを示した図である。
【図４】本発明の一実施形態によるテレビジョン装置の表示部に表示されたソフトウェアキーボード上でカーソルの位置が移動される際における制御部の制御動作を説明するためのフローチャートである。
【発明を実施するための形態】
【００１８】
以下、本発明の実施形態を図面に基づいて説明する。
【００１９】
まず、図１〜図３を参照して、本発明の一実施形態によるテレビジョン装置１００の構成について説明する。なお、テレビジョン装置１００は、本発明の「映像装置」の一例である。
【００２０】
本発明の一実施形態によるテレビジョン装置１００は、図１に示すように、チューナ１０と、通信部２０と、制御部３０と、ディスプレイ４０と、デコーダ５０と、リモコン受信部６０と、リモコン７０とを備えている。なお、チューナ１０は、本発明の「放送受信部」の一例である。また、ディスプレイ４０は、本発明の「表示部」の一例である。
【００２１】
チューナ１０は、アンテナ２００を介してテレビジョン放送を受信するように構成されている。また、通信部２０は、テレビジョン装置１００の外部の図示しないＬＡＮ（Ｌｏｃａｌ  Ａｒｅａ  Ｎｅｔｗｏｒｋ）などからなるネットワーク（たとえば、インターネット）に接続されている。
【００２２】
制御部３０は、テレビジョン装置１００の各部の制御を行うように構成されている。たとえば、制御部３０は、ディスプレイ４０の表示内容の制御を行うことが可能なように構成されている。具体的には、制御部３０は、チューナ１０により受信されたテレビジョン放送（映像）をデコーダ５０を介してディスプレイ４０に出力することにより、ディスプレイ４０にテレビジョン放送を表示再生させることが可能なように構成されている。
【００２３】
また、制御部３０は、通信部２０を介してテレビジョン装置１００の外部のネットワーク（インターネット）と通信を行うことが可能なように構成されている。一般に、このようなインターネットを介した通信を実現するためには、ユーザは、テレビジョン装置１００に対してＩＰ（Ｉｎｔｅｒｎｅｔ  Ｐｒｏｔｏｃｏｌ）アドレスを設定する必要がある。そこで、本実施形態では、制御部３０は、上記のようなテレビジョン装置１００に対するＩＰアドレスの設定操作がユーザにより行われる際に、ディスプレイ４０の所定領域内にソフトウェアキーボード４１（図３参照）を表示させるとともに、ユーザによるリモコン７０の操作（後述する十字ボタン７４ａ、７４ｂ、７４ｃおよび７４ｄ、選局兼用ジャンプボタン７５ａ、７５ｂ、７５ｃ、７５ｄ、７５ｅ、７５ｆ、７５ｇ、７５ｈおよび７５ｉ、および、決定ボタン７６（図２参照）の操作）に基づく文字入力操作（ＩＰアドレスの設定操作）を受け付けるように構成されている。
【００２４】
図３に示すように、ソフトウェアキーボード４１には、数字、アルファベットおよび記号からなる文字を入力するための４０個の入力キー４１ａが４行１０列のマトリクス状に並んで表示されている。これら４０個の入力キー４１ａの下側（Ｙ１方向側）には、「Ｃｌｅａｒ」キー（入力した文字を１つ削除するためのキー）や、「Ａｌｌ  Ｃｌｅａｒ」キー（入力した文字を全て削除するためキー）などからなる５個の機能キー４１ｂが左右方向（Ｘ方向）に並んで表示されている。また、これら４０個の入力キー４１ａの上側（Ｙ２方向側）には、ユーザにより入力された数字などが表示される入力文字表示部４１ｃが左右方向（Ｘ方向）に延びるように表示されている。なお、入力キー４１ａは、本発明の「入力キー画像」の一例である。
【００２５】
また、ソフトウェアキーボード４１には、上記４０個の入力キー４１ａおよび５個の機能キー４１ｂの各々を取り囲むことが可能なように構成されたカーソル４１ｄが表示されている。このカーソル４１ｄは、ユーザによるリモコン７０の操作（後述する十字ボタン７４ａ〜７４ｄおよび選局兼用ジャンプボタン７５ａ〜７５ｉの操作）に基づいて、上記４０個の入力キー４１ａおよび５個の機能キー４１ｂ上を移動可能なように構成されている。なお、図３では、カーソル４１ｄは、５個の機能キー４１ｂのうちの「ＯＫ」キー（入力を確定するためのキー）を取り囲んでいる。
【００２６】
図１に示すように、リモコン受信部６０は、リモコン７０からの信号を受信するように構成されている。このリモコン受信部６０により受信された信号は、制御部３０に送信される。これにより、テレビジョン装置１００のユーザは、リモコン７０の操作を行うことによって、テレビジョン装置１００全体の制御を行うことができる。
【００２７】
図２に示すように、リモコン７０には、テレビジョン装置１００に対する種々の操作を行うための操作ボタン７１が設けられている。本実施形態では、操作ボタン７１は、テレビジョン装置１００の電源を操作するための電源ボタン７２や、ディスプレイ４０に表示されるテレビジョン放送（映像）の音量を調節するための音量調節ボタン７３や、ディスプレイ４０に表示されるテレビジョン放送のチャンネルを選局するための選局ボタン７５などを含むように構成されている。このような選局ボタン７５は、テレビジョン装置１００のリモコン７０に一般的に設けられている。
【００２８】
ここで、本実施形態では、リモコン７０の操作ボタン７１は、ユーザがソフトウェアキーボード４１を用いた文字入力操作を行うための十字ボタン７４ａ〜７４ｄ、選局兼用ジャンプボタン７５ａ〜７５ｉおよび決定ボタン７６を含むように構成されている。なお、十字ボタン７４ａ〜７４ｄおよび選局兼用ジャンプボタン７５ａ〜７５ｉは、それぞれ、本発明の「移動ボタン」および「ジャンプボタン」の一例である。本実施形態では、上記テレビジョン放送のチャンネルを選局するための操作ボタン７１（リモコン７０に一般的に設けられている選局ボタン７５）を選局兼用ジャンプボタン７５ａ〜７５ｉとして兼用可能なように構成されている。
【００２９】
十字ボタン７４ａ〜７４ｄとは、入力キー４１ａ上のカーソル４１ｄの位置を上下方向（Ｘ方向）および左右方向（Ｙ方向）に１つずつ順次移動させるための操作ボタン７１である。また、選局兼用ジャンプボタン７５ａ〜７５ｉとは、入力キー４１ａ上のカーソル４１ｄの位置を予め設定された位置にジャンプ移動させる（入力キー４１ａを１つ以上飛ばして移動させる）ための操作ボタン７１である。また、決定ボタン７６とは、カーソル４１ｄが現在取り囲んでいる入力キー４１ａの入力を決定するための操作ボタン７１である。
【００３０】
十字ボタン７４ａ〜７４ｄは、決定ボタン７６を取り囲む円周に沿って略等間隔で４個設けられている。本実施形態では、これら４個の十字ボタン７４ａ〜７４ｄのリモコン７０上における配置位置は、４個の十字ボタン７４ａ〜７４ｄが押下された場合におけるカーソル４１ｄの移動方向と対応している。
【００３１】
たとえば、リモコン７０上において上側（Ｙ２方向側）（図２参照）に位置する十字ボタン７４ａがユーザにより押下された場合では、入力キー４１ａ上のカーソル４１ｄの位置が上方向（Ｙ２方向）（図３参照）に１つずつ順次移動される。同様に、十字ボタン７４ｂ、７４ｃおよび７４ｄがユーザにより押下された場合では、入力キー４１ａ上のカーソル４１ｄの位置がそれぞれ下方向（Ｙ１方向）、右方向（Ｘ２方向）および左方向（Ｘ１方向）（図３参照）に１つずつ順次移動される。
【００３２】
選局兼用ジャンプボタン７５ａ〜７５ｉは、十字ボタン７４ａ〜７４ｄおよび決定ボタン７６の下側に、３行３列のマトリクス状に９個並んで設けられている。本実施形態では、これら９個の選局兼用ジャンプボタン７５ａ〜７５ｉのリモコン７０上における配置位置は、９個の選局兼用ジャンプボタン７５ａ〜７５ｉがユーザにより押下された際のカーソル４１ｄの移動先として予め設定された９個の入力キー４１ａのディスプレイ４０上における配置位置と対応している。
【００３３】
たとえば、リモコン７０上において左上の端部（Ｘ１方向側およびＹ２方向側の端部）（図２参照）に位置する選局兼用ジャンプボタン７５ａがユーザにより押下された場合では、入力キー４１ａ上のカーソル４１ｄの位置が、４０個の入力キー４１ａのうちの左上の端部（Ｘ１方向側およびＹ２方向側の端部）（図３参照）に位置する入力キー４１ａ（「１」キー）を取り囲む位置にジャンプ移動される。同様に、選局兼用ジャンプボタン７５ｂ、７５ｃおよび７５ｄがユーザにより押下された場合では、入力キー４１ａ上のカーソル４１ｄの位置がそれぞれソフトウェアキーボード４１の「０」キー、「＿」キーおよび「ｕ」キーに対応する入力キー４１ａを取り囲む位置にジャンプ移動される。
【００３４】
また、リモコン７０の上側の左右方向（Ｘ方向）（図２参照）の両端部の中間部分に位置する選局兼用ジャンプボタン７５ｅがユーザにより押下された場合では、入力キー４１ａ上のカーソル４１ｄの位置が、４０個の入力キー４１ａのうちの上側の左右方向（Ｘ方向）（図３参照）の両端部の中間部分に位置する入力キー４１ａ（「５」キー）を取り囲む位置にジャンプ移動される。同様に、選局兼用ジャンプボタン７５ｆ、７５ｇ、７５ｈおよび７５ｉがユーザにより押下された場合では、入力キー４１ａ上のカーソル４１ｄの位置がそれぞれソフトウェアキーボード４１の「ａ」キー、「ｅ」キー、「ｊ」キーおよび「ｙ」キーに対応する入力キー４１ａ（図３参照）を取り囲む位置にジャンプ移動される。
【００３５】
すなわち、選局兼用ジャンプボタン７５ａ〜７５ｉは、カーソル４１ｄをディスプレイ４０の端部に位置する入力キー４１ａにジャンプ移動させるための選局兼用ジャンプボタン７５ａ〜７５ｄと、カーソル４１ｄをディスプレイ４０の両端部の中間部分に位置する入力キー４１ａにジャンプ移動させるための選局兼用ジャンプボタン７５ｅ〜７５ｉとにより構成されている。なお、選局兼用ジャンプボタン７５ａ〜７５ｄおよび選局兼用ジャンプボタン７５ｅ〜７５ｉは、それぞれ、本発明の「第１ジャンプボタン」および「第２ジャンプボタン」の一例である。
【００３６】
以上のように、本実施形態では、上記９個の選局兼用ジャンプボタン７５ａ〜７５ｉがユーザにより押下された際のカーソル４１ｄの移動先として予め設定された９個の入力キー４１ａ（「１」キー、「０」キー、「＿」キー、「ｕ」キー、「５」キー、「ａ」キー、「ｅ」キー、「ｊ」キーおよび「ｙ」キー（図３参照））は、ディスプレイ４０に表示された４０個の入力キー４１ａの中で偏らずに上下方向（Ｙ方向）および左右方向（Ｙ方向）に分散するように配置されている。
【００３７】
次に、図２〜図４を参照して、本発明の一実施形態によるテレビジョン装置１００のディスプレイ４０に表示されるソフトウェアキーボード４１（図３参照）上のカーソル４１ｄの位置が、ユーザによるリモコン７０の操作（十字ボタン７４ａ〜７４ｄおよび選局兼用ジャンプボタン７５ａ〜７５ｉの操作（図２参照））に基づいて移動される際における制御部３０の処理フローについて説明する。
【００３８】
まず、図４に示すように、ステップＳ１において、ユーザによるリモコン７０の操作を受け付ける処理が実行される。具体的には、ユーザによりリモコン７０の十字ボタン７４ａ〜７４ｄおよび選局兼用ジャンプボタン７５ａ〜７５ｉ（図２参照）が押下される際にリモコン７０から発信されるリモコン信号をリモコン受信部６０により検知する処理が実行される。
【００３９】
次に、ステップＳ２において、ユーザによりリモコン７０の十字ボタン７４ａ〜７４ｄが押下されたか否かが判断される。このステップＳ２においては、ユーザにより十字ボタン７４ａ〜７４ｄが押下されたと判断された場合に、ステップＳ３に進む。そして、ステップＳ３において、ユーザにより押下された十字ボタン７４ａ〜７４ｄに対応する方向に入力キー４１ａ上のカーソル４１ｄの位置が移動される。
【００４０】
本実施形態では、リモコン７０の十字ボタン７４ａ、７４ｂ、７４ｃおよび７４ｄ（図２参照）がユーザにより押下された場合に、入力キー４１ａ上のカーソル４１ｄの位置がそれぞれ上方向（Ｙ２方向）、下方向（Ｙ１方向）、右方向（Ｘ２方向）および左方向（Ｘ１方向）（図３参照）に１つだけ移動される。そして、ステップＳ１に戻る。
【００４１】
なお、上記ステップＳ２において、ユーザによりリモコン７０の十字ボタン７４ａ〜７４ｄが押下されなかったと判断された場合には、ステップＳ４に進む。そして、ステップＳ４において、ユーザによりリモコン７０の選局兼用ジャンプボタン７５ａ〜７５ｉが押下されたか否かが判断される。このステップＳ４においては、ユーザにより選局兼用ジャンプボタン７５ａ〜７５ｉが押下されたと判断された場合に、ステップＳ５に進む。そして、ステップＳ５において、ユーザにより押下された選局兼用ジャンプボタン７５ａ〜７５ｉに対応する予め設定された位置に入力キー４１ａ上のカーソル４１ｄの位置がジャンプ移動される。
【００４２】
本実施形態では、リモコン７０の選局兼用ジャンプボタン７５ａ、７５ｂ、７５ｃおよび７５ｄ（図２参照）がユーザにより押下された場合に、入力キー４１ａ上のカーソル４１ｄの位置がそれぞれソフトウェアキーボード４１の「１」キー、「０」キー、「＿」キーおよび「ｕ」キーに対応する入力キー４１ａ（図３参照）を取り囲む位置にジャンプ移動される。また、リモコン７０の選局兼用ジャンプボタン７５ｅ、７５ｆ、７５ｇ、７５ｈおよび７５ｉ（図２参照）がユーザにより押下された場合に、入力キー４１ａ上のカーソル４１ｄの位置がそれぞれソフトウェアキーボード４１の「５」キー、「ａ」キー、「ｅ」キー、「ｊ」キーおよび「ｙ」キーに対応する入力キー４１ａ（図３参照）を取り囲む位置にジャンプ移動される。そして、ステップＳ１に戻る。
【００４３】
なお、上記ステップＳ４において、ユーザにより選局兼用ジャンプボタン７５ａ〜７５ｉが押下されなかったと判断された場合にも、ステップＳ１に戻る。このようにして、ソフトウェアキーボード４１（図３参照）上のカーソル４１ｄの位置が移動される。
【００４４】
本実施形態では、上記のように、リモコン７０を、４０個の入力キー４１ａ上のカーソル４１ｄの位置を１つずつ順次移動させるための十字ボタン７４ａ〜７４ｄと、４０個の入力キー４１ａ上のカーソル４１ｄの位置を予め設定された位置にジャンプ移動させるための選局兼用ジャンプボタン７５ａ〜７５ｉとを含むように構成する。これにより、ソフトウェアキーボード４１上における所望の入力キー４１ａの配置位置とカーソル４１ｄの初期の配置位置とが離れている場合でも、選局兼用ジャンプボタン７５ａ〜７５ｉにより、カーソル４１ｄを所望の入力キー４１ａに近い位置までジャンプ移動させることができるので、カーソル４１ｄを所望の位置まで移動させる際のリモコン７０の操作回数を減らすことができる。また、リモコン７０に十字ボタン７４ａ〜７４ｄしか設けられていない場合（カーソル４１ｄの位置を１つずつ順次移動させることしかできない場合）と異なり、十字ボタン７４ａ〜７４ｄおよび選局兼用ジャンプボタン７５ａ〜７５ｉの２つのボタンにより、カーソル４１ｄを所望の位置まで容易に移動させることができるので、操作性を向上させることができる。これらの結果、ソフトウェアキーボード４１による文字入力を行う際のリモコン７０の操作回数を減らしながら、操作性を向上させることができる。
【００４５】
また、本実施形態では、上記のように、選局兼用ジャンプボタン７５ａ〜７５ｉを、４０個よりも少ない９個設け、ユーザにより９個の選局兼用ジャンプボタン７５ａ〜７５ｉが押下された際のカーソル４１ｄの移動先として予め設定された９個の入力キー４１ａ（「１」キー、「０」キー、「＿」キー、「ｕ」キー、「５」キー、「ａ」キー、「ｅ」キー、「ｊ」キーおよび「ｙ」キー（図３参照））を、ディスプレイ４０に表示された４０個の入力キー４１ａ上で偏らずに分散するように配置する。これにより、ユーザにより９個の選局兼用ジャンプボタン７５ａ〜７５ｉが押下された際のカーソル４１ｄの移動先として予め設定された９個の入力キー４１ａが、ディスプレイ４０に表示された４０個の入力キー４１ａの一部に偏って配置されている場合と異なり、カーソル４１ｄを広い範囲でジャンプ移動させることができるので、カーソル４１ｄを所望の位置までより容易に移動させることができる。また、９個の入力キー４１ａのディスプレイ４０上における配置位置と、９個の選局兼用ジャンプボタン７５ａ〜７５ｉのリモコン７０上における配置位置とを対応させることにより、ユーザが選局兼用ジャンプボタン７５ａ〜７５ｉを押下した際のカーソル４１ｄの移動先を容易に認識することができるので、操作性をより向上させることができる。
【００４６】
また、本実施形態では、上記のように、ユーザにより９個の選局兼用ジャンプボタン７５ａ〜７５ｉが押下された際のカーソル４１ｄの移動先として予め設定された９個の入力キー４１ａ（「１」キー、「０」キー、「＿」キー、「ｕ」キー、「５」キー、「ａ」キー、「ｅ」キー、「ｊ」キーおよび「ｙ」キー（図３参照））のディスプレイ４０上における配置位置を、９個の選局兼用ジャンプボタン７５ａ〜７５ｉのリモコン７０上における配置位置と対応させる。これにより、ユーザが選局兼用ジャンプボタン７５ａ〜７５ｉを押下した際のカーソル４１ｄの移動先を容易に認識することができるので、操作性をより向上させることができる。
【００４７】
また、本実施形態では、上記のように、リモコン７０に、テレビジョン装置１００に対して所定の操作を行うための操作ボタン７１を設け、操作ボタン７１を、選局兼用ジャンプボタン７５ａ〜７５ｉとして兼用可能なように構成する。これにより、選局兼用ジャンプボタン７５ａ〜７５ｉを操作ボタン７１とは別個に設ける場合と異なり、リモコン７０の構成が複雑になるのを抑制することができる。
【００４８】
また、本実施形態では、上記のように、選局兼用ジャンプボタン７５ａ〜７５ｉとして兼用可能な操作ボタン７１を、ディスプレイ４０に表示される映像のチャンネルを選局するための選局ボタン７５とする。これにより、テレビジョン装置１００のリモコン７０に一般的に設けられている選局ボタン７５を選局兼用ジャンプボタン７５ａ〜７５ｉとして兼用することにより、容易にリモコン７０に選局兼用ジャンプボタン７５ａ〜７５ｉを設けることができる。
【００４９】
また、本実施形態では、上記のように、ジャンプボタン７５ａ〜７５ｉを、カーソル４１ｄをディスプレイ４０の端部に位置する入力キー４１ａにジャンプ移動させるためのジャンプボタン７５ａ〜７５ｄと、カーソル４１ｄをディスプレイ４０の両端部間の中間部分に位置する入力キー４１ａにジャンプ移動させるためのジャンプボタン７５ｅ〜７５ｉとにより構成する。これにより、ジャンプボタン７５ａ〜７５ｄとジャンプボタン７５ｅ〜７５ｉとにより、カーソル４１ｄを４０個の入力キー４１ａ全体にわたってジャンプ移動させることができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、本発明の映像装置として、テレビジョン装置を用いる例を示したが、本発明はこれに限らない。たとえば、本発明の映像装置として、セットトップボックスや、ＢＤ（Ｂｌｕ−Ｒａｙ  Ｄｉｓｃ）レコーダなどを用いてもよい。
【００５２】
また、上記実施形態では、入力キーの個数が４０個であるとともに、ジャンプボタンの個数が９個である例を示したが、本発明はこれに限らない。本発明では、入力キーの個数が３９個以下であってもよいし、４１個以上であってもよい。また、ジャンプボタンの個数が８個以下であってもよいし、１０個以上であってもよい。
【００５３】
また、上記実施形態では、操作ボタン７１のうちの選局ボタン７５を本発明のジャンプボタン（選局兼用ジャンプボタン７５ａ〜７５ｉ）として兼用可能に構成する例を示したが、本発明はこれに限らない。本発明では、選局ボタン７５以外の操作ボタン７１をジャンプボタンとして兼用可能に構成してもよい。
【００５４】
また、上記実施形態では、数字、アルファベットおよび記号を入力可能なソフトウェアキーボードを示したが、本発明はこれに限らない。本発明では、ひらがな、カタカナなどの日本語文字を入力可能なソフトウェアキーボードとしてもよいし、漢字を入力可能なソフトウェアキーボードとしてもよい。
【００５５】
また、上記実施形態では、リモコン７０の選局兼用ジャンプボタン７５ａ〜７５ｉ（図２参照）が押下された際のカーソル４１ｄ（図３参照）の移動先として、ソフトウェアキーボード４１の「１」キー、「０」キー、「＿」キー、「ｕ」キー、「５」キー、「ａ」キー、「ｅ」キー、「ｊ」キーおよび「ｙ」キーに対応する入力キー４１ａ（図３参照）が設定されている例を示したが、本発明はこれに限らない。本発明では、選局兼用ジャンプボタン７５ａ〜７５ｉが押下された際のカーソル４１ｄの移動先として、上記以外の入力キー４１ｄが設定されていてもよい。
【００５６】
また、上記実施形態では、本発明の第１ジャンプボタンとしての選局兼用ジャンプボタン７５ａ〜７５ｄ（図２参照）がユーザにより押下された際のカーソル４１ｄ（図３参照）の移動先として、ディスプレイ４０の端部に位置する入力キー４１ａ（「１」キー、「０」キー、「＿」キーおよび「ｕ」キー（図３参照））が設定されている例を示したが、本発明はこれに限らない。本発明では、選局兼用ジャンプボタン７５ａ〜７５ｄ（図２参照）がユーザにより押下された際のカーソル４１ｄの移動先として、ディスプレイ４０の端部からずれた位置に配置されている入力キー４１ａが設定されていてもよい。
【００５７】
また、上記実施形態では、本発明の第２ジャンプボタンとしての選局兼用ボタン７５ｅ〜７５ｉ（図２参照）がユーザにより押下された際のカーソル４１ｄ（図３参照）として、ディスプレイ４０の両端部の中間部分に位置する入力キー４１ａ（「５」キー、「ａ」キー、「ｅ」キー、「ｊ」キーおよび「ｙ」キー（図３参照））が設定されている例を示したが、本発明はこれに限らない。本発明では、選局兼用ボタン７５ｅ〜７５ｉがユーザにより押下された際のカーソル４１ｄの移動先として、ディスプレイ４０の中間部分からずれた位置に配置されている入力キー４１ａが設定されていてもよい。
【符号の説明】
【００５８】
１００  テレビジョン装置（映像装置）
１０  チューナ（放送受信部）
３０  制御部
４０  ディスプレイ（表示部）
４１  ソフトウェアキーボード
４１ａ  入力キー（入力キー画像）
４１ｄ  カーソル
７０  リモコン
７１  操作ボタン
７４ａ、７４ｂ、７４ｃ、７４ｄ  十字ボタン（移動ボタン）
７５  選局ボタン
７５ａ、７５ｂ、７５ｃ、７５ｄ  選局兼用ジャンプボタン（第１ジャンプボタン）
７５ｅ、７５ｆ、７５ｇ、７５ｈ、７５ｉ  選局兼用ジャンプボタン（第２ジャンプボタン）
【図１】
2012182606.tif 000003
【図２】
2012182606.tif 000004
【図３】
2012182606.tif 000005
【図４】
2012182606.tif 000006